(57)【要約】【課題】ブレーキペダルが踏み込まれて減速する際に、メカブレーキによるブレーキ制動力を低減して、モータージェネレーターの回生量を最大限に増加することで燃費を向上するハイブリッド車両及びその制御方法を提供する。【解決手段】制御装置７０が、ブレーキペダル５０が踏み込まれた場合に、踏み込み量Ｂｐ、車速Ｖ、及び車重Ｗに基づいて算出された駆動輪３５における目標駆動輪制動力Ｂｒ’がモータージェネレーター２１の最大回生制動力Ｂｍ＿ｍａｘ以下の場合に、駆動輪３５をモータージェネレーター２１による回生制動力Ｂｍで、従動輪３６を従動輪メカブレーキ５２による従動輪ブレーキ制動力Ｂｆで、それぞれ制動する制御を行うように構成された。【選択図】図１
2017136885.tif 000002
【特許請求の範囲】
【請求項１】
エンジンの動力を駆動輪に伝達する出力軸に接続されたモータージェネレーターを有するハイブリッドシステムと、前記駆動輪を含む全ての車輪のうちの少なくとも従動輪を含む車輪のそれぞれに配置されたメカブレーキと、ブレーキペダルの踏み込み量を取得するブレーキセンサと、車速を取得する車速センサと、車重を取得する車重取得装置と、制御装置と、を備えたハイブリッド車両において、
前記制御装置が、前記ブレーキペダルが踏み込まれた場合に、前記ブレーキセンサを介して取得した踏み込み量、前記車速センサを介して取得した車速、及び、前記車重取得装置を介して取得した車重に基づいて算出された前記駆動輪における目標駆動輪制動力が前記モータージェネレーターの最大回生制動力以下の場合に、前記駆動輪を前記モータージェネレーターによる回生制動力で、前記従動輪をその従動輪に配置された前記メカブレーキによるブレーキ制動力で、それぞれ制動する制御を行うように構成されたことを特徴とするハイブリッド車両。
【請求項２】
前記制御装置が、前記目標駆動輪制動力が前記最大回生制動力を超える場合に、前記駆動輪を前記モータージェネレーターによる回生制動力とその駆動輪に配置された前記メカブレーキによるブレーキ制動力とで、前記従動輪をその従動輪に配置された前記メカブレーキによるブレーキ制動力で、それぞれ制動する制御を行うように構成された請求項１に記載のハイブリッド車両。
【請求項３】
前記制御装置が、取得した前記踏み込み量及び前記車速に基づいて算出した目標減速度と、取得した前記車重に応じた前記駆動輪及び前記従動輪のそれぞれのスリップ限界に基づいた制動力比と、から前記目標駆動輪制動力及び目標従動輪制動力を算出し、
前記目標駆動輪制動力が前記最大回生制動力以下の場合に、前記モータージェネレーターによる回生制動力を前記目標駆動輪制動力にすると共に、前記従動輪に配置された前記メカブレーキによるブレーキ制動力を前記目標従動輪制動力にする制御を行うように構成された請求項１又は２に記載のハイブリッド車両。
【請求項４】
前記制御装置が、前記目標駆動輪制動力が前記最大回生制動力を超える場合に、前記モータージェネレーターによる回生制動力を前記最大回生制動力にすると共に、前記従動輪に配置された前記メカブレーキによるブレーキ制動力を前記目標従動輪制動力にし、更に、前記駆動輪に配置された前記メカブレーキによるブレーキ制動力を前記目標駆動輪制動力と前記最大回生制動力との差分にする制御を行うように構成された請求項３に記載のハイブリッド車両。
【請求項５】
前記制御装置が、前記制動力比を調節して、前記モータージェネレーターの回生制動力を最大回生制動力に近づける制御を行うように構成された請求項３又は４に記載のハイブリッド車両。
【請求項６】
ブレーキペダルが踏み込まれた場合に、エンジンの動力を駆動輪に伝達する出力軸に接続されたモータージェネレーターによる回生制動力と、前記駆動輪を含む全ての車輪のうちの少なくとも従動輪を含む車輪のそれぞれに配置されたメカブレーキによるブレーキ制動力とを協調するハイブリッド車両の制御方法において、
前記ブレーキペダルの踏み込み量、車速、及び、車重を取得するステップと、
取得したそれらの踏み込み量、車速、及び車重に基づいて前記駆動輪における目標駆動輪制動力を算出するステップと、
算出したその目標駆動輪制動力が前記モータージェネレーターの最大回生制動力以下になるか否かを判定するステップと、
前記目標駆動輪制動力が前記最大回生制動力以下になると判定した場合に、前記駆動輪
を前記モータージェネレーターによる回生制動力で、前記従動輪を前記メカブレーキによるブレーキ制動力で、それぞれ制動するステップと、を含むことを特徴とするハイブリッド車両の制御方法。
【発明の詳細な説明】
【技術分野】
【０００１】
本発明は、ハイブリッド車両及びその制御方法に関し、更に詳しくは、ブレーキペダルが踏み込まれて減速する際に、モータージェネレーターの回生量を増加して燃費を向上するハイブリッド車両及びその制御方法に関する。
【背景技術】
【０００２】
近年、燃費向上及び環境対策などの観点から、車両の運転状態に応じて複合的に制御されるエンジン及びモータージェネレーターを有するハイブリッドシステムを備えたハイブリッド車両（以下「ＨＥＶ」という。）が注目されている。このＨＥＶにおいては、車両の加速時や発進時には、モータージェネレーターによる駆動力のアシストが行われる一方で、慣性走行時や減速時にはモータージェネレーターによる回生発電が行われる。
【０００３】
また、ＨＥＶにおいては、運転者によりブレーキペダルが踏み込まれて減速する際に、駆動輪及び従動輪のそれぞれに配置されたメカブレーキによるブレーキ制動力と、モータージェネレーターによる回生制動力と、を協調している。
【０００４】
これに関して、車重に応じてモータージェネレーターの回生制動力を増減する装置が提案されている（例えば、特許文献１、２参照）。これらの装置は、車重が増加した場合に、モータージェネレーターの回生制動力を増加することで、モータージェネレーターの回生量を増加している。
【０００５】
しかしながら、これらの装置では、ブレーキペダルが踏み込まれた場合に、常に全てのメカブレーキが作動するために、モータージェネレーターの回生量を最大にする頻度が少なく、燃費改善の原資となる回生量の取りこぼしがあった。
【先行技術文献】
【特許文献】
【０００６】
【特許文献１】特開２０１０−２００５９０号公報
【特許文献２】特開２０１３−１０６４５７号公報
【発明の概要】
【発明が解決しようとする課題】
【０００７】
本発明の目的は、ブレーキペダルが踏み込まれて減速する際に、メカブレーキによるブレーキ制動力を低減して、モータージェネレーターの回生量を最大限に増加することで燃費を向上することができるハイブリッド車両及びその制御方法を提供することにある。
【課題を解決するための手段】
【０００８】
上記の目的を達成する本発明のハイブリッド車両は、エンジンの動力を駆動輪に伝達する出力軸に接続されたモータージェネレーターを有するハイブリッドシステムと、前記駆動輪を含む全ての車輪のうちの少なくとも従動輪を含む車輪のそれぞれに配置されたメカブレーキと、ブレーキペダルの踏み込み量を取得するブレーキセンサと、車速を取得する車速センサと、車重を取得する車重取得装置と、制御装置と、を備えたハイブリッド車両において、前記制御装置が、前記ブレーキペダルが踏み込まれた場合に、前記ブレーキセンサを介して取得した踏み込み量、前記車速センサを介して取得した車速、及び、前記車重取得装置を介して取得した車重に基づいて算出された前記駆動輪における目標駆動輪制動力が前記モータージェネレーターの最大回生制動力以下の場合に、前記駆動輪を前記モータージェネレーターによる回生制動力で、前記従動輪をその従動輪に配置された前記メカブレーキによるブレーキ制動力で、それぞれ制動する制御を行うように構成されたことを特徴とするものである。
【０００９】
また、上記の目的を達成する本発明のハイブリッド車両の制御方法は、ブレーキペダルが踏み込まれた場合に、エンジンの動力を駆動輪に伝達する出力軸に接続されたモータージェネレーターによる回生制動力と、前記駆動輪を含む車輪のうちの少なくとも従動輪を含む車輪のそれぞれに配置されたメカブレーキによるブレーキ制動力とを協調するハイブリッド車両の制御方法において、前記ブレーキペダルの踏み込み量、車速、及び、車重を取得するステップと、取得したそれらの踏み込み量、車速、及び車重に基づいて前記駆動輪における目標駆動輪制動力を算出するステップと、算出したその目標駆動輪制動力が前記モータージェネレーターの最大回生制動力以下になるか否かを判定するステップと、前記目標駆動輪制動力が前記最大回生制動力以下になると判定した場合に、前記駆動輪を前記モータージェネレーターによる回生制動力で、前記従動輪を前記メカブレーキによるブレーキ制動力で、それぞれ制動するステップと、を含むことを特徴とする方法である。
【００１０】
ここでいう、メカブレーキとしては、摩擦により運動エネルギーを熱エネルギーに変換することで、車輪に制動力を付与する油圧式や空気圧式などのフットブレーキが例示される。このメカブレーキは、駆動輪及び従動輪の全ての車輪に配置されていてもよく、従動輪のみに配置されていてもよい。例えば、トラックなどの大型車両で、一対の駆動輪と二対の従動輪とを備えている場合に、それらの全てに配置されていてもよく、二対の従動輪のそれぞれにのみ配置されていてもよい。例えば、メカブレーキは、前輪として配置された一対の従動輪と、後輪として配置された一対の駆動輪とのそれぞれに配置される。
【００１１】
モータージェネレーターは、制御装置からインバーターを介して電圧や周波数が制御されており、それらの電圧や周波数が可変することで回生制動力を増減することが可能になっている。また、モータージェネレーターは、車速に応じて回転数が可変する。従って、モータージェネレーターの最大回生制動力とは、車速に応じて、電圧や周波数を可変した結果として生じる最大の回生制動力のことをいう。
【００１２】
目標駆動輪制動力は、目標減速度を達成する制動力のうちの駆動輪の回転軸に割り当てられた理想ブレーキ力であり、駆動輪がロックしない、つまりスリップしない限界の制動力であることが好ましい。従って、この目標駆動輪制動力は、車重ごとに理想制動力配分線、等減速度線、及びブロック限界線に応じて駆動輪制動力と従動輪制動力との制動力比が設定されたブレーキ特性図を用いて算出するとよい。
【００１３】
また、目標駆動輪制動力は、ブレーキペダルの踏み込み量、車速、及び車重のそれぞれに対しいて正の相関となる。従って、この目標駆動輪制動力は、踏み込み量、車速、及び車重の増加により大きくなり、それらの減少により小さくなる。
【００１４】
なお、目標駆動輪制動力がモータージェネレーターの最大回生制動力以下の場合に、駆動輪をモータージェネレーターによる回生制動力で、従動輪をメカブレーキによるブレーキ制動力で、それぞれ制動することは、目標駆動輪制動力の全てがモータージェネレーターの回生制動力で賄えるということである。
【００１５】
但し、目標駆動輪制動力がモータージェネレーターの最大回生制動力以下の場合でも、モータージェネレーターが回生できないような状況では、駆動輪に配置されたメカブレーキによるブレーキ制動力も使用するとよい。そのような状況としては、モータージェネレーターに電気的に接続されたバッテリーの充電量が設定された上限値を超える状況が例示される。また、目標駆動輪制動力の全てがモータージェネレーターの回生制動力で賄えない場合、つまり、その目標駆動輪制動力がモータージェネレーターの最大回生制動力を超える場合も、駆動輪に配置されたメカブレーキによるブレーキ制動力でその超える分を補うとよい。
【発明の効果】
【００１６】
本発明のハイブリッド車両及びその制御方法によれば、運転者によりブレーキペダルが踏み込まれた場合に、機械的に全てのメカブレーキを作動するのではなく、算出した目標駆動輪制動力によっては、駆動輪に配置されたメカブレーキを使用せずに、駆動輪をモータージェネレーターによる回生制動力のみで制動することが可能になる。つまり、目標駆動輪制動力の全てをモータージェネレーターによる回生制動力のみで賄うことで、モータージェネレーターの回生量を最大限に増加することが可能になり、燃費を向上することができる。
【００１７】
また、目標駆動輪制動力をモータージェネレーターによる回生制動力のみで賄うことで、駆動輪に配置されたメカブレーキを作動する頻度を低減することが可能になり、そのメカブレーキの消耗を抑制することができる。
【００１８】
更に、車重が最大積載重量のハイブリッド車両の車速が最大速度の場合に、ブレーキペダルが最大踏み込み量に達したときでも、目標駆動輪制動力がモータージェネレーターの最大回生制動力以下になるのであれば、駆動輪にメカブレーキを備えなくてもよい。つまり、駆動輪のメカブレーキを省くことが可能になり、ハイブリッド車両を軽量化できるので、燃費の向上に有利になる。
【図面の簡単な説明】
【００１９】
【図１】本発明の実施形態からなるハイブリッド車両の構成図である。
【図２】図１のハイブリッド車両が空荷時のブレーキ特性を例示する特性図である。
【図３】図１のハイブリッド車両が最大積載時のブレーキ特性を例示する特性図である。
【図４】本発明のハイブリッド車両の制御方法を例示するフロー図である。
【図５】目標減速度とブレーキペダルの踏み込み量及び車速との相関を例示する相関図である。
【図６】モータージェネレーターの出力特性を例示する特性図である。
【図７】図１のハイブリッド車両が最大積載時のブレーキ特性を例示する特性図である。
【発明を実施するための形態】
【００２０】
以下に、本発明の実施の形態について、図面を参照して説明する。図１は、本発明の実施形態からなるハイブリッド車両を示す。
【００２１】
このハイブリッド車両（以下「ＨＥＶ」という。）は、普通乗用車又はバスやトラックなどの大型自動車であり、エンジン１０、モータージェネレーター２１及びトランスミッション３０と、運転状態に応じて車両を複合的に制御するハイブリッドシステム２０とを主に備えている。
【００２２】
エンジン１０においては、エンジン本体１１に形成された複数（この例では４個）の気筒１２内における燃料の燃焼により発生した熱エネルギーにより、クランクシャフト１３が回転駆動される。このエンジン１０には、ディーゼルエンジンやガソリンエンジンが用いられる。クランクシャフト１３の一端は、エンジンクラッチ１４（例えば、湿式多板クラッチなど）を介してモータージェネレーター２１の回転軸２２の一端に接続されている。
【００２３】
モータージェネレーター２１には、発電運転が可能な永久磁石式の交流同期モーターが用いられている。このモータージェネレーター２１の回転軸２２の他端は、モータークラ
ッチ１５（例えば、湿式多板クラッチなど）を通じて、トランスミッション３０のインプットシャフト３１に接続されている。
【００２４】
トランスミッション３０には、ＨＥＶの運転状態と予め設定されたマップデータとに基づいて決定された目標変速段へ自動的に変速するＡＭＴ又はＡＴが用いられている。なお、トランスミッション３０は、ＡＭＴのような自動変速式に限るものではなく、ドライバーが手動で変速するマニュアル式であってもよい。
【００２５】
トランスミッション３０で変速された回転動力は、アウトプットシャフト３２に接続されたプロペラシャフト３３を通じてデファレンシャル３４に伝達され、後輪である一対の駆動輪３５にそれぞれ駆動力として分配される。
【００２６】
ハイブリッドシステム２０は、モータージェネレーター２１と、そのモータージェネレーター２１に電気的に接続するインバーター２３、高電圧バッテリー２４、ＤＣ／ＤＣコンバーター２５及び低電圧バッテリー２６とを有している。
【００２７】
高電圧バッテリー２４としては、リチウムイオンバッテリーやニッケル水素バッテリーなどが好ましく例示される。また、低電圧バッテリー２６には鉛バッテリーが用いられる。
【００２８】
ＤＣ／ＤＣコンバーター２５は、高電圧バッテリー２４と低電圧バッテリー２６との間における充放電の方向及び出力電圧を制御する機能を有している。また、低電圧バッテリー２６は、各種の車両電装品２７に電力を供給する。
【００２９】
このハイブリッドシステム２０における種々のパラメータ、例えば、電流値、電圧値やＳＯＣなどは、ＢＭＳ２８により検出される。
【００３０】
これらのエンジン１０及びハイブリッドシステム２０は、制御装置７０により制御される。具体的には、ＨＥＶの発進時や加速時には、ハイブリッドシステム２０は高電圧バッテリー２４から電力を供給されたモータージェネレーター２１により駆動力の少なくとも一部をアシストする一方で、慣性走行時や制動時においては、モータージェネレーター２１による回生発電を行い、プロペラシャフト３３等に発生する余剰の運動エネルギーを電力に変換して高電圧バッテリー２４を充電する。また、このＨＥＶは、エンジンクラッチ１４を断状態、かつモータークラッチ１５を接状態にすることで、モータージェネレーター２１のみを駆動源とする、いわゆるモーター単独走行が可能となる。
【００３１】
なお、この実施形態においては、左右一対（以下一対）の駆動輪３５を後輪として、一対の従動輪３６を前輪として、それぞれ説明する。一方で、一対の駆動輪３５を前輪として、一対の従動輪３６を後輪としてもよい。また、駆動輪３５及び従動輪３６は一対に限らずに、それぞれ複数組みにしてもよい。
【００３２】
また、モータージェネレーター２１を接続するエンジン１０の駆動力を駆動輪３５に伝達する出力軸としては、クランクシャフト１３、トランスミッション３０の各シャフト、及びプロペラシャフト３３が例示される。また、モータージェネレーター２１とそれらの出力軸との接続機構としては、回転軸２２に取り付けられた第１プーリーとそれらの出力軸に取り付けられた第２プーリーとの間に無端状のベルト状部材を掛け回した機構、ギアボックスなどの減速機構、及びＰＴＯなどの動力取り出し機構などが例示される。
【００３３】
また、このＨＥＶは、運転者によりブレーキペダル５０が踏み込まれた際に、一対の駆動輪３５のそれぞれにブレーキ制動力を付与する一対の駆動輪メカブレーキ５１と、従動
輪３６のそれぞれにブレーキ制動力を付与する一対の従動輪メカブレーキ５２とを備えている。これらの駆動輪メカブレーキ５１、従動輪メカブレーキ５２としては、圧縮空気で作動するエアブレーキや、油圧で作動する油圧ブレーキが例示される。
【００３４】
なお、従動輪３６や駆動輪３５が複数組みの場合には、その全てに対してメカブレーキを備えてもよいが、少なくともＨＥＶの重心よりも前方に配置された一対の前輪と、後方に配置された一対の後輪とを含む車輪に備えればよい。
【００３５】
これらの駆動輪メカブレーキ５１、従動輪メカブレーキ５２は、制御装置７０により制御される。具体的には、制御装置７０が、ブレーキセンサ５３を介してブレーキペダル５０の踏み込み量Ｂｐと、車速センサ６２を介して車速Ｖとを取得すると、その踏み込み量Ｂｐと車速Ｖに応じて図示しないブレーキ用比例制御弁の開度を調節して、メカブレーキの図示しないアクチュエーターに作動油を供給する。そして、そのアクチュエーターによりブレーキシューがブレーキドラムに押し付けられることで、駆動輪３５や従動輪３６に直接的に制動力を付与する。このときのアクチュエーターの作動油の供給量によってブレーキ制動力は調節される。
【００３６】
このようなＨＥＶにおいて、制御装置７０が、各パラメータに基づいて算出された駆動輪３５における目標駆動輪制動力Ｂｒ’がモータージェネレーター２１の最大回生制動力Ｂｍ＿ｍａｘ以下の場合に、駆動輪３５をモータージェネレーター２１による回生制動力Ｂｍで、従動輪３６を従動輪メカブレーキ５２による従動輪ブレーキ制動力Ｂｆで、それぞれ制動する制御を行うように構成される。
【００３７】
制御装置７０は、各種処理を行うＣＰＵ、その各種処理を行うために用いられるプログラムや処理結果を読み書き可能な内部記憶装置、及び各種インターフェースなどから構成される。この制御装置７０は、信号線を介して車速センサ６２、加速度センサ６０、及び車輪速センサ６３のそれぞれに接続される。また、制御装置７０の内部記憶装置に記憶された実行プログラムとしては、ブレーキ協調プログラムが例示される。
【００３８】
各パラメータは、目標減速度α’、目標駆動輪制動力Ｂｒ’、及び目標従動輪制動力Ｂｆ’を算出するためのパラメータであり、少なくとも踏み込み量（ブレーキ開度ともいう）Ｂｐ、車速Ｖ、車重Ｗ、及び路面摩擦係数μを含む。この他に、このパラメータには、走行路の勾配を加えてもよい。
【００３９】
踏み込み量Ｂｐは、ブレーキセンサ５３を介して取得される。車速Ｖは、車速取得装置として設けられた車速センサ６２を介して取得される。車重Ｗは、車重取得装置として設けられた加速度センサ６０を介して取得された加速度の変化に基づいて算出される。この車重Ｗの算出方法としては、トランスミッション３０の変速前の駆動力を変速前の加速度から変速中の減速度を減算した値で除算して算出する方法が例示される。路面摩擦係数μは、摩擦係数取得装置として設けられた車輪速センサ６３を介して取得された駆動輪３５の速度と従動輪３６の速度との速度比であるスリップ率から算出される。この路面摩擦係数μの算出方法としては、駆動輪３５を駆動する駆動力とスリップ率の変化とに基づいて算出する方法が例示される。
【００４０】
なお、車重Ｗの算出方法は上記の方法に限定されずに、例えば、エアサスペンションの空気圧から算出することも可能である。この場合には、車重取得装置としては圧力センサが例示される。また、路面摩擦係数μの算出方法も上記の方法に限定されずに、例えば、アンチロックブレーキシステム（ＡＢＳ）の制御に基づいて算出したり、車線逸脱防止支援システムの制御に基づいて算出したり、ナビゲーションシステムから取得したりすることも可能である。この場合には、摩擦係数取得装置としては、ＡＢＳ、車線逸脱防止支援
システム、ナビゲーションシステムが例示される。
【００４１】
図２は空荷時のブレーキ特性図を、図３は最大積載（例えば、２ｔ）時のブレーキ特性図を、それぞれ示している。なお、それらのブレーキ特性図は、乾燥路面の平坦路におけるものとする。一般的に、路面摩擦係数μは、乾燥路面が０．８〜１．０前後、湿潤路面が０．４〜０．６前後、積雪路面が０．２〜０．５前後、氷結路面が０．１〜０．２前後である。
【００４２】
図中において実線で示される理想制動力分配線は、減速度αをパラメータとして、駆動輪メカブレーキ５１、従動輪メカブレーキ５２の理想ブレーキ力を示している。駆動輪３５、従動輪３６の回転を止めるために必要なブレーキ力である理想ブレーキ力は、走行路面とそれらの摩擦力に等しくなり、車重Ｗと路面摩擦係数μとにより定められる。また、この理想ブレーキ力は、ＨＥＶの制動時に慣性力によって荷重移動が生じ、静的荷重配分が減速度に応じて動的荷重配分に変化し、この動的荷重配分が制動するのに必要なブレーキ力である。つまり、図中において点線で示されるロック限界（スリップ限界）線を超える制動力が生じると車輪がロックされ、スリップする。
【００４３】
図中において一点鎖線で示される等減速度線は、減速度α、あるいは目標減速度α’を示しており、図中の左下から右上に向って値が大きくなっている。実際の制動力が理想ブレーキ力を超えると車輪がロックされることから、最大減速度α＿ｍａｘは路面摩擦係数μと重力加速度Ｇとを乗算した値、例えば、乾燥路面の場合に０．８Ｇになる。
【００４４】
図中において太線で示される最適制動力比Ｒは、予め実験や試験により目標駆動輪制動力Ｂｒ’と目標従動輪制動力Ｂｆ’とが最適となるように求めてられた値である。この最適制動力比ＲはＨＥＶの構成や車重Ｗによる異なる。
【００４５】
このブレーキ特性図は、制御装置７０の内部記憶装置に記憶されており、ブレーキ協調プログラムの実施時に読み出される。
【００４６】
このようなＨＥＶの制御方法を、制御装置７０の機能として図４に基づいて以下に説明する。なお、制御装置７０は、信号線（一点鎖線で示す）を通じて、各部と接続している。この制御方法は、ブレーキペダル５０が踏み込まれたときに開始され、ブレーキペダル５０の踏み込みが解除したときに終了するものとする。
【００４７】
まず、運転者によりブレーキペダル５０が踏み込まれると、制御装置７０が、各パラメータ（踏み込み量Ｂｐ、車速Ｖ、車重Ｗ、路面摩擦係数μなど）を取得する（Ｓ１０）。
【００４８】
次いで、制御装置７０が、踏み込み量Ｂｐ及び車速Ｖに基づいて目標減速度α’を算出する（Ｓ２０）。図５は、踏み込み量Ｂｐと車速Ｖとに対する目標減速度α’を例示している。目標減速度α’は、踏み込み量Ｂｐに対して、及び、車速Ｖに対して、それぞれ正の相関になる。従って、目標減速度α’は、踏み込み量Ｂｐが多くなると増加し、少なくなると減少する。また、目標減速度α’は、車速Ｖが速くなると増加し、遅くなると減少する。つまり、ＨＥＶの減速中は、その減速度合いに応じて、目標減速度α’は徐々に減少することになる。
【００４９】
また、このステップにおいて、制御装置７０が最大減速度α＿ｍａｘを路面摩擦係数μから算出する。そして、踏み込み量Ｂｐが最大（例えば、ブレーキ開度が１００％）になった場合の目標減速度α’をその最大減速度α＿ｍａｘに設定する。従って、路面摩擦係数μごとに踏み込み量Ｂｐ及び車速Ｖに応じた目標減速度α’が設定されたマップデータを予め作成しておき、内部記憶装置に記憶しておくとよい。
【００５０】
次いで、制御装置７０が、目標駆動輪制動力Ｂｒ’と目標従動輪制動力Ｂｆ’とを算出する（Ｓ３０）。このステップにおいては、制御装置７０が、予め内部記憶装置に記憶させていた図２、図３に例示するようなブレーキ特性図のうちから車重Ｗに応じたブレーキ特性図を読み出して、目標駆動輪制動力Ｂｒ’と目標従動輪制動力Ｂｆ’とを算出することが好ましい。従って、ブレーキ特性図は、車重Ｗごとに複数作成しておくとよい。
【００５１】
例えば、ＨＥＶが空荷の場合には図２のブレーキ特性図を参照して、一方、ＨＥＶが最大積載時の場合には図３のブレーキ特性図を参照して、目標減速度α’と最適制動力比Ｒとの交点から目標駆動輪制動力Ｂｒ’と目標従動輪制動力Ｂｆ’とを算出する。
【００５２】
次いで、制御装置７０が、モータージェネレーター２１の最大回生制動力Ｂｍ＿ｍａｘを算出する（Ｓ４０）。図６はモーター回転数とモータージェネレーター２１の出力トルク、回生トルクとの相関を例示している。最大回生制動力Ｂｍ＿ｍａｘは、所定回転数Ｎ０までは最大回生トルクが一定トルクになるのでモーター回転数に比例し、その所定回転数Ｎ０以上では一定の値になる。また、モーター回転数は車速Ｖに比例する。
【００５３】
次いで、制御装置７０が、算出した最大回生制動力Ｂｍ＿ｍａｘが目標駆動輪制動力Ｂｒ’以下になるか否かを判定する（Ｓ５０）。
【００５４】
次いで、最大回生制動力Ｂｍ＿ｍａｘが目標駆動輪制動力Ｂｒ’以下と判定すると、制御装置７０が、モータージェネレーター２１の回生制動力Ｂｍを目標駆動輪制動力Ｂｒ’にする。また、制御装置７０が、従動輪メカブレーキ５２の従動輪ブレーキ制動力Ｂｆを目標従動輪制動力Ｂｆ’にする（Ｓ６０）。
【００５５】
一方、最大回生制動力Ｂｍ＿ｍａｘが目標駆動輪制動力Ｂｒ’を超えると判定すると、制御装置７０が、モータージェネレーター２１の回生制動力Ｂｍを最大回生制動力Ｂｍ＿ｍａｘにする。また、制御装置７０が、従動輪メカブレーキ５２の従動輪ブレーキ制動力Ｂｆを目標従動輪制動力Ｂｆ’にする。更に、制御装置７０が、駆動輪メカブレーキ５１の駆動輪ブレーキ制動力Ｂｒを目標駆動輪制動力Ｂｒ’と最大回生制動力Ｂｍ＿ｍａｘとの差分、つまり、目標駆動輪制動力Ｂｒ’から最大回生制動力Ｂｍ＿ｍａｘを減算した値にする（Ｓ７０）。
【００５６】
このような制御を行うようにしたことで、運転者によりブレーキペダル５０が踏み込まれた場合に、機械的に全てのメカブレーキ５１、５２を作動するのではなく、算出した目標駆動輪制動力Ｂｒ’によっては、駆動輪メカブレーキ５１を使用せずに、駆動輪３５をモータージェネレーター２１による回生制動力Ｂｍのみで制動することが可能になる。つまり、目標駆動輪制動力Ｂｒ’の全てをモータージェネレーター２１による回生制動力Ｂｍのみで賄うことで、モータージェネレーター２１の回生量を最大限に増加することが可能になり、燃費を向上することができる。
【００５７】
また、目標駆動輪制動力Ｂｒ’をモータージェネレーター２１による回生制動力Ｂｍのみで賄うことで、駆動輪メカブレーキ５１を作動する頻度を低減することが可能になり、その駆動輪メカブレーキ５１の消耗を抑制することができる。
【００５８】
上記のＨＥＶの制御方法では、目標駆動輪制動力Ｂｒ’と目標従動輪制動力Ｂｆ’とを算出する（Ｓ３０）際に、それぞれの制動力比（Ｂｒ’：Ｂｆ’）を調節して、モータージェネレーター２１の回生制動力Ｂｍを最大回生制動力Ｂｍ＿ｍａｘに近づける制御を行うことが望ましい。
【００５９】
図７は図３と同状況のブレーキ特性図を例示している。ここでは、最適制動力比Ｒではなく目標駆動輪制動力Ｂｒ’が最大回生制動力Ｂｍ＿ｍａｘ以下になる制動力比を用いている。このように、制動力比を調節して、駆動輪３５に対してはモータージェネレーター２１の回生制動力Ｂｍで賄うようにすることで、モータージェネレーター２１の最大限に回生量を増加することができるので、燃費の向上に有利になる。
【００６０】
また、その制動力比を調節して、モータージェネレーター２１の変換効率ηを高くする制御を行ってもよい。変換効率ηは、機械的なエネルギーに対して回収できる電気的なエネルギーとの比を示す。
【００６１】
図６における一点鎖線は変換効率ηを例示している。変換効率ηは最大回生制動力Ｂｍ＿ｍａｘ時ではなく、少し低い部分で高くなっている。そこで、目標駆動輪制動力Ｂｒ’を算出する際に、モータージェネレーター２１の変換効率ηがより高くなるようにすることで、無駄に消費されるエネルギーが少なくなるので燃費の向上に有利になる。
【００６２】
この実施形態では、モータージェネレーター２１の回生制動力Ｂｍについて説明した。この回生制動力Ｂｍとは、モータージェネレーター２１の回生量、つまり高電圧バッテリー２４に充電される充電量とはイコールではない。前述したように、高電圧バッテリー２４の充電量には上限値が定められており、それ以上には充電しないようになっている。そこで、高電圧バッテリー２４の充電量が上限値を超えるような場合は、モータージェネレーター２１の回生を停止して、駆動輪３５を駆動輪メカブレーキ５１の駆動輪ブレーキ制動力Ｂｒで制動するとよい。また、駆動輪メカブレーキ５１を備えていない場合は、モータージェネレーター２１の鉄損や銅損を増加することで、変換効率ηを意図的に低下させて、回生制動力Ｂｍを代えずに発電量を少なくするとよい。
【００６３】
なお、このＨＥＶにおいて、車重Ｗが最大積載重量のＨＥＶの車速Ｖが最大速度の場合に、ブレーキペダル５０の踏み込み量Ｂｐが最大に達したときでも、目標駆動輪制動力Ｂｒ’がモータージェネレーター２１の最大回生制動力Ｂｍ＿ｍａｘ以下になるのであれば、駆動輪３５に駆動輪メカブレーキ５１を備えなくてもよい。
【００６４】
つまり、ＨＥＶとしては、メカブレーキとして少なくとも従動輪メカブレーキ５２を備えていればよい。また、駆動輪３５が複数組みの四輪駆動や全輪駆動の場合には、前輪の駆動輪３５に上記の従動輪メカブレーキ５２に相当する駆動輪メカブレーキを少なくとも備えていればよい。
【００６５】
このように駆動輪３５に駆動輪メカブレーキ５１を備えない場合には、ＨＥＶを軽量化できるので、燃費の向上に有利になる。
【００６６】
但し、そのような場合でも、モータージェネレーター２１が高電圧バッテリー２４の充電量が上限値を超えて回生できない状況などの場合に使用するために、予備的に駆動輪メカブレーキ５１を備えておくことが好ましい。
【符号の説明】
【００６７】
１０  エンジン
２０  ハイブリッドシステム
２１  モータージェネレーター
３５  駆動輪
３６  従動輪
５０  ブレーキペダル
５２  従動輪メカブレーキ
５３  ブレーキセンサ
６０  加速度センサ
６２  車速センサ
６３  車輪速センサ
Ｂｐ  踏み込み量
Ｖ  車速
Ｗ  車重
Ｂｒ’  目標駆動輪制動力
Ｂｍ＿ｍａｘ  最大回生制動力
Ｂｍ  回生制動力
Ｂｆ  ブレーキ制動力
【図１】
2017136885.tif 000003
【図２】
2017136885.tif 000004
【図３】
2017136885.tif 000005
【図４】
2017136885.tif 000006
【図５】
2017136885.tif 000007
【図６】
2017136885.tif 000008
【図７】
2017136885.tif 000009